(57)【要約】【課題】各種穀物および野菜や果物などを粉砕し、混合する機能を遂行する電気ミキサーの下部胴体の上部面に、光を発散することができる多数の発光灯を形成して、使用者がミキサーを作動する時、上部胴体の内部に光が透過されながら、作動中であることを視覚的に暗示し、また、音声合声成装置によって、メモリされた各種音声が外部に発散されるようにして、聴覚的にも、作動中である状態を知らせるこおｔができる電気ミキサーを提供する。【解決手段】モーターを挿入することができる下部胴体（９）と、前記モーターの回転軸（１２）と繁がれて、上部胴体（７）の底面で回転する粉砕刃またはミキサー刃（３）と、前記上部胴体（７）を覆うことができる蓋（１）と、前記モーターを作動することができる各種スイッチ（５、１０、１１）で構成された電気ミキサーであって、前記下部胴体（９）の上部面に形成された多数の光を発散する発光灯（８）と、前記発光灯（８）が前記上部胴体（７）の下部面を透過して、内部で光が発散するように構成されたことを特徴とする電気ミキサー。【選択図】        図１
2005040147.tif 000002
【特許請求の範囲】
【請求項１】
モーターを挿入することができる下部胴体と、前記モーターの回転軸と繋がれて、上部胴体の底面で回転する粉砕刃またはミキサー刃と、前記上部胴体を覆うことができる蓋と、前記モーターを作動することができる各種スイッチで構成された電気ミキサーにおいて、
前記下部胴体の上部面に形成された多数の光を発散する発光灯を備え、前記発光灯が、前記上部胴体の下部面を透過して、内部で光が発散するように構成されたことを特徴とする電気ミキサー。
【請求項２】
前記発光灯の光が、順次的に発光するように構成されたことを特徴とする請求項１記載の電気ミキサー。
【請求項３】
前記発光灯の光が、上部胴体の外周面を透過して、外部にも光が発散されるように構成されたことを特徴とする請求項１記載または請求項２記載の電気ミキサー。
【請求項４】
前記発光灯が、上部胴体に装着されたことを特徴とする請求項１記載または請求項２記載の電気ミキサー。
【請求項５】
前記下部胴体の内部に、音声および音楽が内蔵されたチップが、回路部と繋がれるように構成されたことを特徴とする請求項１記載の電気ミキサー。
【請求項６】
前記発光灯が、遠赤外線が放射されるなどで構成されたことを特徴とする請求項１記載の電気ミキサー。
【請求項７】
前記発光灯が、殺菌などで構成されたことを特徴とする請求項１記載の電気ミキサー。
【請求項８】
前記下部胴体の内部に、音声および音楽が内蔵されたチップが、回路部と繋がれて、構成されたことを特徴とする請求項１記載の電気ミキサー。
【発明の詳細な説明】
【０００１】
【発明の属する技術分野】
本発明は、電気ミキサーに関するもので、特に、各種穀物および野菜や果物などを粉砕し、混合する機能を遂行する電気ミキサーの下部胴体の上部面に、光を発散することができる多数の発光灯を形成して、使用者がミキサーを作動するとき、上部胴体の内部に、光が透過されながら、作動中であることを視覚的に暗示し、また、音声合声装置により、メモリされた各種音声が、外部に発散されるようにして、聴覚的にも、作動中である状態であることを知らせるためである。
【０００２】
【従来の技術】
従来の電気ミキサーは、図５に示されるように、一般的に知られたもので、その構成において、モーターを挿入することができる下部胴体（７）と前記モーター（図示せず）の回転軸（１２）と繋がれて、上部胴体（７）の底面で、回転する粉砕刃またはミキサー刃（３）と、前記上部胴体（７）を覆うことができる蓋（１）と、前記モーターを作動することができる各種スイッチ（５、１０、１１）で構成されているものである。
【０００３】
前記のような構成は、各種スイッチ（５、１０）により、電源が繋がれると、モーターが回転しながら、前記モーターの回転軸（１２）に繋がれた粉砕刃またはミキサー刃（３）が回転するようになるので、上部胴体（７）の内部に収蔵された各種野菜や果物などが、粉砕刃またはミキサー刃（３）によって、粉砕されるか、混合されるようになるものである。
【０００４】
また、粉砕およびミキサー作業が進行される間に、単純に電気ミキサーの粉砕刃またはミキサー刃（３）が回転することを、使用者が見ながら、内容物の進行状況を知ることができるから、退屈を感じられる弊端もあった。
【０００５】
【発明が解決しようとする課題】
したがって、前記のようなミキサーは、一般的に知られたように、ただ、上部胴体（７）の内部に収蔵される内容物などを粉砕したり、ミキシングする役割以外には、特別に他の目的を探して見ることができなかった。
【０００６】
すなわち、一般的に知られたミキサーは、大部分が、正常的な人々が使用することができるように、作製されているので、視覚障害者および聴覚障害者などが安全に使用することをができないという問題があった。
【０００７】
本発明は、前記のような問題点を解決しようと改良案出したもので、前記ミキサーの一般的な機能である粉砕およびミキサーの作業以外にも、使用者が、ミキサーの内部で光を発散する発光灯による視覚的な効果および音声合声成装置が内装されたチップから発散される各種音声による聴覚的な効果によって、ミキサーの作動状態である粉砕およびミキシングされる過程を見守るできるようにすることにより、正常的な人は勿論、視覚および聴覚障害者も、ミキサーを安全に使用することができるようにすることを目的とする。
【０００８】
すなわち、ミキサーが作動する時、ミキサーの内部から発光される光は、聴覚障害者が使用することができるようにし、音声合声装置が内装されたチップから発散する音声によっては、視覚障害者が使用することができるようにすることを目的にするものである。
【０００９】
【課題を解決するための手段】
本発明のかかる目的は、モーターを挿入することができる下部胴体と、前記モーターの回転軸と繋がれて、上部胴体の底面で回転する粉砕刃またはミキサー刃と、前記上部胴体を覆うことができる蓋と、前記モーターを作動することができる各種スイッチで構成された電気ミキサーであって、前記下部胴体の上部面に形成された多数の光を発散する発光灯を備え、前記発光灯が、前記上部胴体の下部面を透過して、内部で光が発散するように構成されたことを特徴とする電気ミキサーによって達成される。
【００１０】
本発明の好ましい実施態様においては、前記上部胴体の内部の壁面に、くしの歯型凸凹が形成されるように構成されている。
【００１１】
本発明の好ましい実施態様においては、前記発光灯の光が、順次的に発光するように構成されている。
【００１２】
本発明のさらに好ましい実施態様においては、前記発光灯の光が、上部胴体の外周面を透過して、外部にも光が発散されるように構成されている。
【００１３】
本発明のさらに好ましい実施態様においては、前記発光灯が、上部胴体に装着されている。
【００１４】
本発明の好ましい実施態様においては、前記下部胴体の内部に、音声および音楽が内蔵されたチップが、回路部と繋がれるように構成されている。
【００１５】
本発明の好ましい実施態様においては、前記発光灯が、遠赤外線が放射されるなどで構成されている。
【００１６】
本発明の別の好ましい実施態様においては、前記発光灯が、殺菌などで構成されている。
【００１７】
【発明の実施の形態】
以下、本発明の構成を添付された図面に基づいて、より具体的に説明する。
【００１８】
本発明は、図１に示されるように、モーターを挿入することができる下部胴体（９）と、前記モーターの回転軸（１２）に繋がれて、上部胴体（７）の底面で回転する粉砕刃またはミキサー刃（３）と、前記上部胴体（７）を覆うことができる蓋（１）と、前記モーターを作動することができる各種スイッチ（５、１０、１１）で構成された電気ミキサーにおいて、前記下部胴体（９）の上部面に形成された多数の光を発散する発光灯（８）と、前記発光灯（８）が前記上部胴体（７）の下部面を透過して内部で光を発散するように構成されたことを特徴とする電気ミキサーを提供するものである。
【００１９】
また、本発明は、上部胴体（７）の内部の壁面に、くしの歯型凸凹（１３）が形成されるように構成されたことを特徴とする電気ミキサーを提供するものである。
【００２０】
さらに、本発明は、前記発光灯（８）の光が順次的に発光するように構成したことを特徴とする電気ミキサーを提供するものである。
【００２１】
また、本発明は、前記発光灯（８）の光が、上部胴体（７）の外周面に光が透過して、外部に光が発散されるように構成されたことを特徴とする電気ミキサーを提供するものである。
【００２２】
また、本発明は、前記発光灯（８）が、上部胴体（７）に装着されたことを特徴とする電気ミキサーを提供するものである。
【００２３】
さらに、本発明は、前記発光灯（８）は、遠赤外線が放射されるなどで構成されたことを特徴とする電気ミキサーを提供するものである。
【００２４】
また、本発明は、前記発光灯（８）は、殺菌などで構成されたことを特徴とする電気ミキサーを提供するものである。
【００２５】
さらに、本発明は、前記下部胴体（９）の内部に、音声および音楽が内臓されたチップが、回路部と繋がれて、構成されたことを特徴とする電気ミキサーを提供するものである。
【００２６】
前記のように構成された本発明の作用効果を、より具体的に説明すると、以下のとおりである。
【００２７】
本発明は、図１に示されるように、下部胴体（９）の内部に、モーター（図示せず）が装着され、モーターの回転軸（１２）を通じて、動力を伝達することができるようになっているものである。
【００２８】
そして、前記下部胴体（９）の一側には、前記モーターを作動することができる各種スイッチ（５、１０、１１）、すなわ、混合およびカット粉砕などができるオンスイッチ（１０）と、前記電源を遮断することができるオフスイッチ（１１）、そして、ミキサーの作動時、安定状態を考慮した安全スイッチ（５）および取手が形成されているものである。
【００２９】
さらに、前記下部胴体（９）と結合されて、その内部に、各種穀物や野菜および果物などを収蔵することができる上部胴体（７）の内部には、前記下部胴体（９）に収蔵されたモーターの回転軸（１２）と結合される粉砕刃またはミキサー刃（３）が形成されているものである。
【００３０】
そして、前記上部胴体（７）の内部面には、くしの歯型凸凹（１３）が形成されているので、ミキサーが作動する時、内部に収蔵された粉砕物が粉砕されながら、くしの歯型凸凹（１３）に当るようになるので、粉砕がもっとよくできるように形成されているものである。
【００３１】
また、前記下部胴体（９）の上部面と、前記上部胴体（７）の下部面が接触する部位に、光を発散することができる多数の発光灯（８）を形成して、電源が繋がれると、光が上部胴体（７）の内部および外部に発散することができるように形成されているものである。
【００３２】
さらに、前記発光灯（８）は、別途、上部胴体（７）に形成して、光が外部に発散することができるように形成することもできるものである。
【００３３】
このとき、前記発光灯（８）は、一体として、光が発散することもできるし、また、状況によっては、順次的に発光することもできるものである。
【００３４】
そして、前記のような光が発散される発光灯（８）が、遠赤外線が放射されるように形成された発光灯（８）によって、構成されているときは、ミキサー内部の粉砕物が粉砕されながら、各種栄養素およびミネラルが破壊されないようにするものであり、また、前記発光灯（８）を殺菌などで構成するときは、ミキサー内部の粉砕物に含有された微細菌を殺菌させることにより、無公害食品を食べるようにするものである。
【００３５】
それのみならず、前記下部胴体（９）の内部に形成された回路部（図は省略）には、音声や歌などが内臓されたチップ（音声合声装置）を繁がって、音声が外部に発散されるようにして、ミキサーの作業状況を、使用者である視覚および聴覚障害者に知らせるように構成されているものである。
【００３６】
さらに、前記胴体（７）の上部には、粉砕刃またはミキサー刃（３）が、作動時、内容物が外部に排出されないように、蓋（１）が形成されていて、前記蓋（１）が、上部胴体（７）と結合時、安全スイッチ（５）の作動により、電源が繁がられるようにし、また、蓋（１）が開くと、ミキサーの作動を自動に中止するようにすることにより、使用上の安全を招くようになっているものである。
【００３７】
そして、前記上部胴体（７）は、発光灯（８）から発生する光が外部に透過され、使用者が見られるように、透明な容器で構成されたものである。
【００３８】
前記のような本発明の作動状態を実施例に基づいて、説明すると、まず、使用者は、前記下部胴体と結合されている上部胴体（７）の内部に、各種内容物および使用者が願う穀物や野菜または果物などを選択して、収蔵するとできるものである。
【００３９】
前記上部胴体（７）に内容物を収蔵した後、蓋（１）を覆うと、前記下部胴体（９）の一側取手（６）に形成された安全スイッチ（５）が接点になると、使用者は、粉砕をするかミキサーをするかを、多数のオンスイッチ（１０）中の一つを選択して、押すと、電源が繁がれて、モーターが作動し、前記モーターの作動より、モーターの回転軸（１２）と繁がれた粉砕刃またはミキサー刃（３）が回転しながら、内容物を粉砕またはミキシングするようになるものである。
【００４０】
このとき、粉砕機内部の粉砕物は、粉砕刃またはミキサー刃（３）により、粉砕されることは勿論、上部胴体（７）の内部面に形成されたくしの歯型凸凹（１３）に、粉砕物が当たるようにして、粉砕を促進させるようになるものである。
【００４１】
これと同時に、前記ミキサーが作動していることを、視覚的に、聴覚障害者（使用者）に知らせる前記下部胴体（９）の上部面に形成された光を発散する多数の発光灯（８）にも、電源が繁がれて、光が発散しながら、前記下部胴体（９）と繁がれた上部胴体（７）の内部面および外部面（図４参照）に光が透過されながら、内容物に光を発散するようになるものである。
【００４２】
このとき、前記発光灯（８）を、遠赤外線などで構成する場合には、発光灯（８）で、遠赤外線が放射され、粉砕物の栄養素を破壊させないようにし、また、殺菌などで構成する場合には、粉砕物を殺菌することにより、新鮮な粉砕物を得ることができるようになるものである。
【００４３】
これのみならず、前記下部胴体（９）に内臓され、回路部と繁がれた音楽や音声が内臓されたチップ（音声合声装置）（図示せず）では、既にメモリされている各種音声が、外部に発散されながら、ミキサーが作業中であるという状態を音声で、視覚障害者に知らせるようになるものである。
【００４４】
本発明の前記発光灯（８）は、下部胴体（９）に装着されたものとして、説明を加えたが、本発明はこれに限定されるものでなく、図４に示されるように、上部胴体（７）に、発光灯（８）が形成されていても、同一の作動をすることになるものである。
【００４５】
そして、前記本発明の実施例で説明しているように、発光灯（８）が、上部胴体（７）に形成され、外部に光が発散されるように構成したことは、図４に示されている構成に限定するものでなく、上部胴体（７）のどの部位に、発光灯（８）が装着され、形成されても、同一の構成を有するものである。
【００４６】
このように、前記の作動により、上部胴体（７）の内部に収蔵された内容物の作業が完了され、使用者が、オフスイッチ（１１）を押すと、電源は遮断されるのと同時に、モーターの作動が中止され、また、発光灯（８）も消灯されるのと同時に、音声が内臓されたチップにおいて、音声が止まるようになることである。
【００４７】
前記作業が完了されると、使用者は、上部胴体（７）の内部に収蔵された内容物を、他の容器で排出して、使用すれば、できるものである。
【００４８】
このとき、作業中であっても、使用者が蓋（１）を開けると、安全スイッチ（５）の接点が遮断され、モーターの作動は中止されるようになるので、安全事故の危険を未然に防止することができるものである。
【００４９】
そして、図面に示した説明していない符号（４）は、取手（６）に、蓋（１）の一側が挿入され、固定している状態を解除するための押しピンで、これを押すと、取手（６）に挿入された蓋（１）は解除されながら、上部胴体（７）を開放するようになる。
【００５０】
また、説明していない符号（２）は、内容物の注入口で、蓋（２）が閉じられた状態でも、内容物を上部胴体（７）の内部に入れながら、作業をすることができるようにするためのものである。
【発明の効果】
以上の説明から明らかなように、本発明は、既存のミキサーの機能である粉砕および混合する作業を、視覚的や聴覚的にも、作動しているという状態を、視覚および聴覚障害者に知らせることにより、使用者が、ミキサーまたは粉砕する間にも、安全に、作業をすることができるようにすることは勿論、正常的な人も、退屈にならないように作動状態の可否を容易に知ることができるので、使用上の安全を図ることができる効果がある。
【図面の簡単な説明】
【図１】図１は、本発明の電気ミキサーを分離した状態を示した斜視図である。
【図２】図２は、本発明の電気ミキサーを結合した状態を示した斜視図である。
【図３】図３は、本発明の電気ミキサーの発光灯の光が、外部面に発散されるように形成した状態を切開した概略断面図である。
【図４】図４は、本発明の上部胴体に発光灯が装着された状態を示す断面図である。
【図５】図５は、一般的に知られたミキサーを示した斜視図である。
【符号の説明】
１  蓋
２  注入口
３  粉砕およびミキサー刃
４  押しピン
５  安全スイッチ
６  取手
７  上部胴体
８  発光灯
９  下部胴体
１０  電源スイッチ
１１  オフスイッチ
１３  くしの歯型凸凹
【図１】
2005040147.tif 000003
【図２】
2005040147.tif 000004
【図３】
2005040147.tif 000005
【図４】
2005040147.tif 000006
【図５】
2005040147.tif 000007